Podtech/llm-jp-corpus-v4-ja_patent huggingface dataset:
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
足部材および足首継手機構を備える足首および足の人工装具組立体であって、前記足首継手機構は、脛部材を含むと共に内外継手屈曲軸周りの前記脛部材に対する前記足部材の制動された回転運動を可能にするよう構成されており、
前記足首継手機構が、底屈方向および背屈方向のそれぞれにおける足首動作に関連する動的可変制動抵抗を伴う、歩行中の足首動作の連続的に油圧制動される範囲を提供するよう構成されており、
前記足首および足の人工装具組立体が、歩行運動の動力学的パラメータ、歩行運動の運動学的パラメータ、および歩行環境の少なくとも１つを示すシグナルを生成するための少なくとも１つのセンサを備える前記足首継手機構に連結された制御系をさらに含み、
前記足首継手機構および前記制御系が、前記可動範囲にわたって有効であると共に底屈方向および背屈方向への動作に関連する前記制動抵抗が前記シグナルに応じて自動的に適応されるよう構成されている足首および足の人工装具組立体。
【請求項２】
制動抵抗が、足首動作の前記範囲の少なくとも一部にわたって足首継手屈曲に対する優勢抵抗であるように構成されている請求項１に記載の足首および足の人工装具組立体。
【請求項３】
前記制御系が、地形を示すシグナルを生成すると共に、これに応じて足首背屈方向における制動抵抗の大きさを変更するよう構成されている請求項１または２に記載の足首および足の人工装具組立体。
【請求項４】
前記制御系が、地面の傾斜を示すシグナルを生成すると共に、傾斜を降りる歩行を示すようなシグナルに応じて、背屈方向における前記制動抵抗を歩行中に増加させるよう構成されている請求項１または２に記載の足首および足の人工装具組立体。
【請求項５】
前記制御系が、地面の傾斜を示すシグナルを生成すると共に、傾斜を降りる歩行を示すようなシグナルに応じて底屈方向における前記制動抵抗を歩行中に変更させるよう構成されており、このような変更は、膝を不安定にさせる実質的な外部膝モーメントを発生させることなく、歩行面に対する前記足部材の再調整を可能とする請求項１または２に記載の足首および足の人工装具組立体。
【請求項６】
前記制御系が、地面の傾斜を示すシグナルを生成すると共に、傾斜を降りる歩行を示すようなシグナルに応じて、底屈方向における前記制動抵抗を歩行中に低減させるよう構成されている請求項１または２に記載の足首および足の人工装具組立体。
【請求項７】
前記制御系が、地面の傾斜を示すシグナルを生成すると共に、背屈方向および底屈方向における前記制動抵抗を、前記シグナルが傾斜を降りる歩行を示す場合に、それぞれ、増加および低減させ、前記シグナルが傾斜を昇る歩行を示す場合に、それぞれ、低減および増加させるよう構成されている請求項１または２に記載の足首および足の人工装具組立体。
【請求項８】
前記少なくとも１つのセンサが前記足部材に取り付けられた加速度計である請求項３から請求項７のいずれかに記載の足首および足の人工装具組立体。
【請求項９】
前記制御系が、歩行運動速度を示すシグナルを生成すると共に、背屈に対する前記制動抵抗をこれに応じて歩行運動中に調整するよう構成されている請求項１から請求項８のいずれかに記載の足首および足の人工装具組立体。
【請求項１０】
前記制御系が、背屈方向における前記制動抵抗が、歩行運動速度の増加を示す前記シグナルに応じて低減されるよう構成されている請求項９に記載の足首および足の人工装具組立体。
【請求項１１】
前記継手機構が、前記足部材および前記脛部材の並進ピストン運動と回転相対運動とを変換するよう構成された油圧ピストンおよびシリンダアセンブリ、ならびに、関連するリンケージを備え、前記ピストンおよび前記シリンダアセンブリが、前記並進ピストン運動に対する油圧制動抵抗の大きさを変更するよう構成された前記少なくとも１つの調節可能な制動制御弁を含み、前記継手機構が、歩行運動中に前記弁を調整するための少なくとも１つの弁に連結されたアクチュエータをさらに備える請求項１から請求項１０のいずれかに記載の足首および足の人工装具組立体。
【請求項１２】
請求項１から請求項１１のいずれかに記載の足首および足の組立体を含む下肢人工装具。
【請求項１３】
基端側取付インタフェースと、先端側取付インタフェースと、前記基端側取付インタフェースと前記先端側取付インタフェースとを相互に接続すると共に、前記先端側取付インタフェースの前記基端側取付インタフェースに対する内外継手屈曲軸周りの制動された回転運動を可能にするよう構成された継手機構とを備える人工足首継手アセンブリであって、
前記継手機構が、前記底屈方向および背屈方向のそれぞれにおける足首動作に関連する動的可変制動抵抗での、歩行中の足首動作の連続的な油圧制動される範囲を提供するよう構成されており
前記足首継手アセンブリが、歩行運動の動力学的および／または運動学的パラメータを示すシグナルを生成するための少なくとも１つのセンサを備える前記足首継手機構に連結された制御系をさらに備え、
継手機構および制御系が、前記可動範囲にわたって有効な制動抵抗、ならびに底屈方向および背屈方向への動作に関連する制動抵抗が前記シグナルに応じて自動的に適応されるよう構成されている人工足首継手アセンブリ。
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
化学基を含む炭水化物リンカー分子（ＣＬＭ）をポリマー性炭水化物材料（ＰＣＭ）に結合することにより、ＰＣＭを修飾することによって、インプラント材料を調製するための方法であって、ここで、前記化学基は、ＰＣＭに改善された生体適合性を与える方法であって、ＰＣＭがセルロース材料を含むことを特徴し、以下の工程：
（ａ）キシログルカンから誘導される炭水化物および改善された生体適合性を与える化学基を含むＣＬＭを提供する工程と、
（ｂ）修飾されるべき前記ＰＣＭと前記ＣＬＭとを、前記ＣＬＭが前記ＰＣＭに結合し、その生体適合性を改善する条件下で接触させる工程
を含むことを特徴とする方法。
【請求項２】
ＣＬＭが、以下の工程：
（ａ）キシログルカン−オリゴ糖（ＸＧＯ）を提供する工程と、
（ｂ）改善された生体適合性を与える化学基を前記ＸＧＯの還元末端に共有結合させる工程と、
（ｃ）ＣＬＭの形成を導く条件下で、結合した化学基を伴う前記ＸＧＯをキシログルカンから誘導される炭水化物ポリマーに接触させる工程
を含む方法によって提供される、請求項１に記載の方法。
【請求項３】
ＣＬＭの形成の工程（ｃ）がグリコシル転移活性を有する酵素によって触媒される、請求項２に記載の方法。
【請求項４】
グリコシル転移活性を有する酵素がキシログルカンエンドトランスグリコシラーゼ（ＸＥＴ、ＥＣ２．４．１．２０７）である、請求項３に記載の方法。
【請求項５】
ＸＧＯが３〜１００のポリマー骨格単糖単位を含有する、請求項２〜４のいずれか一項に記載の方法。
【請求項６】
ＸＧＯが４〜１０ポリマー骨格単糖単位を含有する、請求項５に記載の方法。
【請求項７】
化学基を含むＣＬＭをＰＣＭに接触および結合させる工程が、水性条件下で実施される、請求項１〜６のいずれか一項に記載の方法。
【請求項８】
セルロース材料が微生物由来のセルロースを含む、請求項１〜７のいずれか一項に記載の方法。
【請求項９】
微生物由来のセルロースが細菌アセトバクター・キシリナム（Ａｃｅｔｏｂａｃｔｅｒ  ｘｙｌｉｎｕｍ）によって産生される、請求項８に記載の方法。
【請求項１０】
改善された生体適合性を与える化学基がタンパク質またはペプチドである、請求項１〜９のいずれか一項に記載の方法。
【請求項１１】
改善された生体適合性をＰＣＭに与える化学基が、次のもの：細胞外マトリックス（ＥＣＭ）接着分子、増殖因子、細胞接着分子、抗凝固因子、または接着ペプチドフラグメントのうち少なくとも１つを含む、請求項１〜１０のいずれか一項に記載の方法。
【請求項１２】
ペプチドが、Ａｒｇ−Ｇｌｙ−Ａｓｐ（ＲＧＤ）含有ペプチド配列、Ｔｙｒ−Ｉｌｅ−Ｇｌｙ−Ｓｅｒ−Ａｒｇ（ＹＩＧＳＲ）含有ペプチド配列、および／またはＩｌｅ−Ｌｙｓ−Ｖａｌ−Ａｌａ−Ｖａｌ（ＩＫＶＡＶ）含有ペプチド配列を含む、請求項１０に記載の方法。
【請求項１３】
Ａｒｇ−Ｇｌｙ−Ａｓｐ（ＲＧＤ）含有ペプチド配列がＧｌｙ−Ａｒｇ−Ｇｌｙ−Ａｓｐ−Ｓｅｒ（ＧＲＧＤＳ）ペプチド配列である、請求項１２に記載の方法。
【請求項１４】
請求項１〜１３のいずれか一項に記載の方法に従って調製される医学的または外科的用途のためのインプラント材料。
【請求項１５】
組織工事のための足場の製造のための請求項１４に記載のインプラント材料の使用。
【請求項１６】
人工血管、人工皮膚、神経足場または整形外科用インプラントの製造のための請求項１５に記載の使用。
【請求項１７】
人工血管の製造のための請求項１６に記載の使用。
【請求項１８】
請求項１４に記載の材料を含む、組織工事のための足場。
【請求項１９】
請求項１４に記載の材料を含む、人工血管。
【請求項２０】
インビトロで予め細胞が播種されている、請求項１８に記載の足場または請求項１９に記載の人工血管。
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
血液製剤と混合して骨置換材料を作り出すための骨グラフト材料であって、
骨グラフト材料が合成骨材料の顆粒を含み、
前記顆粒の少なくともいくつかが、血液凝固剤を含む固体コーティングを有し、
骨グラフト材料中の血液凝固剤の質量が、血液凝固剤及び合成骨材料の合計質量の２％以上である骨グラフト材料。
【請求項２】
骨グラフト材料中の血液凝固剤の質量が、血液凝固剤及び合成骨材料の合計質量の４０％以下である、請求項１に記載の骨グラフト材料。
【請求項３】
固体コーティングが合成骨材料の外表面の５０％以上を覆う、請求項１又は２に記載の骨グラフト材料。
【請求項４】
全血と混合するためのものである、請求項１〜３のいずれか一項に記載の骨グラフト材料。
【請求項５】
合成骨材料が、リン酸カルシウム、好ましくはヒドロキシアパタイトを含む、請求項１〜４のいずれか一項に記載の骨グラフト材料。
【請求項６】
血液凝固剤が、塩化カルシウム、ゼオライト、キトサン、鉄（ＶＩ）酸塩、凝固因子ＶＩＩＩ、凝固因子Ｘａ、凝固因子ＸＩＩａ及び組織因子の少なくとも１種を含む、請求項１〜５のいずれか一項に記載の骨グラフト材料。
【請求項７】
骨置換材料を形成する方法であって、
（ａ）全血と、
（ｂ）請求項１〜６のいずれか一項に記載の骨グラフト材料と、
を混合するステップを含む方法。
【請求項８】
前記合成骨材料がリン酸カルシウムを含む、請求項７に記載の方法。
【請求項９】
血液凝固剤が、塩化カルシウム、ゼオライト、キトサン、鉄（ＶＩ）酸塩、凝固因子ＶＩＩＩ、凝固因子Ｘａ、凝固因子ＸＩＩａ及び組織因子の少なくとも１種を含む、請求項７又は８に記載の方法。
【請求項１０】
骨グラフト材料１重量部が血液０．１〜１０体積部に添加される、請求項７〜９のいずれか一項に記載の方法。
【請求項１１】
骨置換材料を治療対象領域に送達するためのデバイスであって、
血液凝固剤が予め装填され、及び／又はその内表面に予め被覆された、骨置換材料を収容するためのチャンバーと、
骨置換材料をチャンバー内に導入して血液凝固剤と接触させるための手段と、
骨置換材料をチャンバーから治療対象領域に送達するための手段と、
を含み、
骨置換材料は、請求項１〜６のいずれか一項に記載の骨グラフト材料と血液製剤とを混合したものであるデバイス。
【請求項１２】
骨置換材料を製造するための方法であって、
（ｉ）請求項１〜６のいずれか一項に記載の骨グラフト材料を供給するステップ、
（ｉｉ）血液及び／又は処理血液製剤を含む液体を前記骨グラフト材料に添加して固体／液体混合物を得るステップ、
（ｉｉｉ）前記固体／液体混合物を請求項１１に記載のデバイスのチャンバー内に入れて、チャンバーに予め装填され、及び／又はその内表面に予め被覆された血液凝固剤と接触させるステップ、
（ｉｖ）前記固体／液体混合物中の血液を凝固させて骨置換材料を作り出すステップ、及び
（ｖ）骨置換材料をデバイスから取り出すステップ、
を含む方法。
【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
第１フィッティング部（１）と、ギアドライブ（３）によって回動軸（３０）まわりに前記第１フィッティング部（１）に対して回動調整可能に設けられた第２フィッティング部（２）とを有する、自動車部品（２０）のための調整フィッティング（１０）であって、
前記ギアドライブ（３）は、前記第１フィッティング部（１）の第１ギア（３１）と、前記第１ギア（３１）に偏心配置された前記第２フィッティング部（２）の第２ギアとを含み、
前記第２ギア（３２）に対する前記第１ギア（３１）の偏心配置を固定するべく２つのウェッジセグメント（３３、３４）が、ブッシングギア歯（４２）を有するスライドブッシング（４３）に径方向外側に取り付けられ、
前記調整フィッティング（１０）は、リリース位置又はロック位置に交互に設定できるブレーキ要素（４０）を有し、前記リリース位置の前記ブレーキ要素（４０）は前記スライドブッシング（４３）の径方向内側に配置され、前記ロック位置の前記ブレーキ要素（４０）は前記ブッシングギア歯（４２）と係合する調整可能フィッティング（１０）。
【請求項２】
前記ブレーキ要素（４０）は、ロック位置において前記回動軸（３０）に対して径方向に前記ブッシングギア歯（４２）と係合するロック要素（４１）を含む、請求項１に記載の調整フィッティング（１０）。
【請求項３】
前記ロック要素（４１）及び前記ブッシングギア歯（４２）は、前記第１ギア（３１）及び前記第２ギア（３２）双方の歯の数よりも少ないロック位置の数が予め定められるように設けられる、請求項２に記載の調整フィッティング（１０）。
【請求項４】
前記ブレーキ要素（４０）は、前記ブレーキ要素（４０）を前記リリース位置に設定するばね要素（４５）を有する、請求項１から３のいずれか１項に記載の調整フィッティング（１０）。
【請求項５】
前記ブレーキ要素（４０）は環状部分要素（４７）を有し、前記ブレーキ要素（４０）が前記環状部分要素（４７）に対して傾斜可能に設けられる、請求項１から４のいずれか１項に記載の調整フィッティング（１０）。
【請求項６】
前記ブレーキ要素（４０）は、傾斜位置（４８、４８’）まわりに傾斜可能に設けられる、請求項５に記載の調整フィッティング（１０）。
【請求項７】
前記環状部分要素（４７）は、前記調整フィッティング（１０）のドライブシャフトを取り囲む、請求項１から６のいずれか１項に記載の調整フィッティング（１０）。
【請求項８】
前記環状部分要素（４７）は、前記調整フィッティング（１０）の前記ドライブシャフトの回動に関して確動接続要素（４９）により固定される、請求項１から７のいずれか１項に記載の調整フィッティング（１０）。
【請求項９】
前記自動車部品（２０）は車両シートである、請求項１から８のいずれか１項に記載の調整フィッティング（１０）。
【請求項１０】
第１フィッティング部（１）と、ギアドライブ（３）によって回動軸（３０）まわりに前記第１フィッティング部（１）に対して回動調整可能に設けられた第２フィッティング部（２）とを有する、自動車部品（２０）の調整フィッティング（１０）のラッチを固定する方法であって、
前記ギアドライブ（３）は、前記第１フィッティング部（１）の第１ギア（３１）と、前記第１ギア（３１）に偏心配置された前記第２フィッティング部（２）の第２ギアとを含み、
２つのウェッジセグメント（３３、３４）を前記第２ギア（３２）に対する前記第１ギア（３１）の偏心配置を固定するべく設けることと、
ブレーキ要素（４０）を設けることとを含み、
前記ブレーキ要素（４０）は、そのロック位置に設定されると前記環状部分要素（４７）に対して傾斜される方法。
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
複数の方向性入力キーを備えた文字入力装置において、
中央から４放射方向に互いに均一な離隔距離を有して配置された４個の入力キーを含み、
前記各入力キーは、基準位置を中心に放射状に配置された複数の方向指示位置に向かって移動可能で、前記各方向指示位置に割り当てられた文字を入力する方向移動入力、及び前記入力キーが上下に移動する方向プッシュ入力が可能である入力手段を含んでいることを特徴とする、文字入力装置。
【請求項２】
前記方向移動入力は、前記各入力キーの移動距離に応じて２段以上の多段入力が可能であることを特徴とする、請求項１に記載の文字入力装置。
【請求項３】
前記方向プッシュ入力は、前記各入力キーのプッシュ距離またはプッシュ圧力の差のうちのいずれか一つによって２段以上の多段入力が可能であることを特徴とする、請求項１に記載の文字入力装置。
【請求項４】
前記中央に備えられて、前記方向移動入力または方向プッシュ入力のうちの一つ以上が行われる中央入力キーをさらに含んでいることを特徴とする、請求項１に記載の文字入力装置。
【請求項５】
前記中央入力キーは、２段以上の多段入力が可能であることを特徴とする、請求項４に記載の文字入力装置。
【請求項６】
複数の方向性入力キーを備えて、信号によってデータを入力する入力手段、前記入力手段の信号を感知する感知部、及び前記感知部によって感知される信号のうちの有効な信号を判断してデータを生成する制御部を含んで構成された文字入力装置において、
前記入力手段は、基準となる第１入力部、及び前記第１入力部の放射状方向に形成されて、複数列の配列文字が配置される第２入力部を含んで形成されて、
前記第１入力部または第２入力部は、方向移動入力が可能で、プッシュ入力（垂直プッシュ入力）が可能であって、前記方向移動入力またはプッシュ入力によってそれぞれ当該位置の配列文字に含まれる特定のデータが入力されることを特徴とする、文字入力装置。
【請求項７】
前記第１入力部または第２入力部の方向移動入力、または前記第１入力部または第２入力部のプッシュ入力は、それぞれ互いに区別された２種類の信号によって行われることを特徴とする、請求項６に記載の文字入力装置。
【請求項８】
前記第２入力部の方向移動入力は、第１入力部に向かったイン（Ｉｎ）方向及び第１入力部の反対方向に向かったアウト（Ｏｕｔ）方向に区別することができ、前記イン方向及びアウト方向を根拠として、それぞれ当該位置の配列文字に含まれた特定のデータが入力されることを特徴とする、請求項７に記載の文字入力装置。
【請求項９】
前記入力手段は、タッチスクリーン、タッチパッド、またはタッチキーパッド上に実現可能であることを特徴とする、請求項６乃至８から選択されるいずれかに記載の文字入力装置。
【請求項１０】
前記入力手段は、スクリーン上で移動可能であることを特徴とする、請求項９に記載の文字入力装置。
【請求項１１】
前記入力装置は、スクリーンの一側に前記第１入力部を移動させておく待機領域が存在し、前記第１入力部を前記待機領域に移動させれば、前記第２入力部の領域は無くなり、前記第１入力部を待機領域から逸脱するように移動させれば、前記第２入力部の領域が現れることを特徴とする、請求項１０に記載の文字入力装置。
【請求項１２】
複数の方向性入力キーを備えて、信号によってデータを入力する入力手段、前記入力手段の信号を感知する感知部、及び前記感知部によって感知された信号のうちの有効な信号を判断してデータを生成する制御部を含んで構成された文字入力装置において、
前記入力手段は、基準となる第１入力部、及び前記第１入力部の放射状方向に形成されて、複数列の配列文字が配置された第２入力部が一体形である板形に形成されて、
前記第１入力部または第２入力部は、方向移動入力が可能で、プッシュ入力（方向プッシュ入力）が可能であって、前記方向移動入力またはプッシュ入力によってそれぞれ当該位置の配列文字に含まれる特定のデータが入力されることを特徴とする、文字入力装置。
【請求項１３】
前記円板は放射状方向に水平移動が可能であることを特徴とする、請求項１２に記載の文字入力装置。
【請求項１４】
前記第１入力部または第２入力部の方向移動入力、または前記第１入力部または第２入力部のプッシュ入力は、それぞれ互いに区別された２種類の信号によって行われることを特徴とする、請求項１３に記載の文字入力装置。
【請求項１５】
前記第２入力部の方向移動入力は、第１入力部に向かったイン（Ｉｎ）方向及び第１入力部の反対方向に向かったアウト（Ｏｕｔ）方向に区別することができ、前記イン方向及びアウト方向を根拠として、それぞれ当該位置の配列文字に含まれた特定のデータが入力されることを特徴とする、請求項１３に記載の文字入力装置。
【請求項１６】
前記入力手段は、前記第２入力部の周辺に円弧方向に第３入力部がさらに形成されていることを特徴とする、請求項６または１２に記載の文字入力装置。
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
基準位置を中心にして放射状に離隔配置された複数の第１方向指示位置のうちのいずれか一つを選択するか、または前記基準位置から前記複数の第１方向指示位置のうちのいずれか一つに向かって水平移動して行われる第１方向入力が可能な第１方向入力部；
前記第１方向入力部の外部に放射状に離隔配置された複数の第２方向指示位置のうちのいずれか一つを選択する第２方向入力が可能な第２方向入力部；
前記第１方向入力を感知する第１方向入力感知部；
前記各第２方向入力を感知する第２方向入力感知部；及び
前記第１方向入力感知部及び第２方向入力感知部の感知結果に基づいて、前記第１及び第２方向指示位置に割り当てられた文字コードを抽出して入力する制御部；
を含んでいることを特徴とする、文字入力装置。
【請求項２】
前記第１及び第２方向入力部のうちの一つ以上は、２段以上の多段入力が可能に形成されていることを特徴とする、請求項１に記載の文字入力装置。
【請求項３】
前記第１方向入力部全体が上下方向に昇降するか、または前記第１方向入力部に形成された中央入力キーを選択することのうちのいずれか一つの方法で中央入力が可能に形成されていることを特徴とする、請求項１に記載の文字入力装置。
【請求項４】
前記中央入力を行った状態で前記第１または第２方向入力を行う場合に、これに割り当てられた新たな文字コードが入力されるか、または前記第１または第２方向入力を行った状態で前記中央入力を行う場合に、これに割り当てられた新たな文字コードが入力されることを特徴とする、請求項３に記載の文字入力装置。
【請求項５】
前記第１方向入力部は、下端が前記基準位置に支持されたスティックタイプに形成され、上端が前記複数の第１方向指示位置のうちのいずれか一つに傾いて、前記第１方向入力を行うことを特徴とする、請求項１に記載の文字入力装置。
【請求項６】
前記第１方向入力部は、円板形状に形成され、前記第１方向入力部の下部に形成されて、前記第１方向入力部が前記各第１方向指示位置に向かって傾くように支持する支持部をさらに含んで、前記方向入力を行うことを特徴とする、請求項１に記載の文字入力装置。
【請求項７】
前記第１方向入力部、前記第２方向入力部、または中央入力のうちの一つ以上は、２段以上の多段入力が可能に形成されていることを特徴とする、請求項３乃至６のうちのいずれかに記載の文字入力装置。
【請求項８】
複数の第２方向入力部は、互いに連結されて、一体形に形成されていることを特徴とする、請求項４に記載の文字入力装置。
【請求項９】
前記第１方向入力部及び複数の第２方向入力部は、指一本で前記第１方向入力及び第２方向入力のうちの一つの入力を行った状態で、前記指を離さずに他の一つの入力を行う ように、互いに近接して形成されていることを特徴とする、請求項１に記載の文字入力装置。
【請求項１０】
前記中央入力キー、第１方向入力部、及び第２方向入力部は、突出する高さが順次に低くなるように形成されていることを特徴とする、請求項９に記載の文字入力装置。
【請求項１１】
前記第１方向入力部の第１方向入力及び第２方向入力部を利用して、マウスまたはジョイスティックとして使用することを特徴とする、請求項９に記載の文字入力装置。
【請求項１２】
前記中央入力キーに形成されて、指の接触を感知する中央タッチ感知部をさらに含み、
前記制御部は、前記中央タッチ感知部で指の接触が所定の時間以上感知される場合に、前記中央タッチ感知部の感知結果を無視して、前記中央タッチ感知部に対するタッチ入力が行われないようにすることを特徴とする、請求項３に記載の文字入力装置。
【請求項１３】
前記中央入力キーに形成されて、指の接触を感知する中央タッチ感知部をさらに含み、
前記制御部は、前記中央タッチ感知部で指の接触による中央タッチ感知信号及び前記第１方向入力による前記第１方向入力感知部の感知信号が同時に受信される場合と、前記第１方向入力感知部の感知信号のみが受信される場合とを区別して、互いに異なる文字を入力することを特徴とする、請求項３に記載の文字入力装置。
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
熱電素子を製造する方法において、
成長表面を備える基板を設けるステップであって、前記成長表面が、前記基板の結晶方位によって画定された面に対して、約５°から約４５°の範囲内のオフカット角でオフカットされている、ステップと、
前記成長表面上に、熱電膜をエピタキシャル成長させるステップと、
を含み、前記熱電膜が、ビスマス（Ｂｉ）、アンチモン（Ｓｂ）、鉛（Ｐｂ）、テルル（Ｔｅ）、および／またはセレン（Ｓｅ）を含む化合物を含んでいることを特徴とする方法。
【請求項２】
前記基板の前記結晶方位によって画定された前記面が、｛１００｝面であり、前記成長表面が、前記｛１００｝面から＜１１０＞方向に向かってオフカットされた微傾斜成長表面を含んでいることを特徴とする請求項１に記載の方法。
【請求項３】
前記オフカット角が、約５°から約３０°の範囲内にあることを特徴とする請求項２に記載の方法。
【請求項４】
前記オフカット角が、約１０°から約２０°の範囲内にあることを特徴とする請求項３に記載の方法。
【請求項５】
前記オフカット角が、｛１００｝面に対して＜１１０＞方向に向かう約１５°であることを特徴とする請求項３に記載の方法。
【請求項６】
前記熱電膜の結晶方位が、前記成長表面に対して約５°から前記３０°の範囲内の角度で傾斜していることを特徴とする請求項１に記載の方法。
【請求項７】
前記熱電膜の前記結晶方位によって画定された面が、（００１５）面であることを特徴とする請求項６に記載の方法。
【請求項８】
前記熱電膜の前記結晶方位が、約１０°から約２５°の範囲内の角度で傾斜していることを特徴とする請求項６に記載の方法。
【請求項９】
前記基板が、ガリウムヒ素（ＧａＡｓ）、シリコン（Ｓｉ）、フッ化バリウム（ＢａＦ）、炭化ケイ素（ＳｉＣ）、窒化ガリウム（ＧａＮ）、窒化アルミニウム（ＡｌＮ）、サファイア、および／またはガラスを含んでいることを特徴とする請求項１に記載の方法。
【請求項１０】
前記熱電膜をエピタキシャル成長させる前に、前記基板の前記成長表面を、前記成長表面から突出する複数のメサを画定するように、パターン化するステップをさらに含んでいることを特徴とする請求項１に記載の方法。
【請求項１１】
前記熱電膜が、約１クラック／ｍｍ未満のクラック密度を有していることを特徴とする請求項１に記載の方法。
【請求項１２】
前記熱電膜が、約１クラック／ｃｍ未満のクラック密度を有していることを特徴とする請求項１１に記載の方法。
【請求項１３】
前記熱電膜を前記基板の前記成長表面上にエピタキシャル成長させる前に、前記基板の前記成長表面上に少なくとも１つの中間層を形成することをさらに含んでいることを特徴とする請求項１に記載の方法。
【請求項１４】
前記中間層が、歪層超格子を含んでいることを特徴とする請求項１３に記載の方法。
【請求項１５】
熱電素子を製造する方法において、
基板を、前記基板から突出する複数のメサを有する成長表面を画定するように、パターン化するステップと、
前記成長表面上に、熱電膜をエピタキシャル成長させるステップと
を含み、前記熱電膜が、ビスマス（Ｂｉ）、アンチモン（Ｓｂ）、鉛（Ｐｂ）、テルル（Ｔｅ）、および／またはセレン（Ｓｅ）を含む化合物を含んでいることを特徴とする方法。
【請求項１６】
前記熱電膜のエピタキシャル成長が、前記成長表面から突出する複数のメサを備える前記熱電膜をエピタキシャル成長させることを含んでおり、前記熱電膜の前記複数のメサが、約２００μｍ以下の直径または幅を有しており、前記熱電膜のメサが、約１クラック／ｍｍ未満のクラック密度を有していることを特徴とする請求項１５に記載の方法。
【請求項１７】
結晶方位を有する熱電膜を備える熱電要素であって、前記結晶方位が、前記熱電膜の表面に対して約５°から約３０°の範囲内の角度で傾斜している、熱電要素を備えており、前記熱電膜が、ビスマス（Ｂｉ）、アンチモン（Ｓｂ）、鉛（Ｐｂ）、テルル（Ｔｅ）、および／またはセレン（Ｓｅ）を含む化合物を含んでいることを特徴とする熱電素子。
【請求項１８】
前記熱電膜が、約５μｍから約１００μｍの範囲内の厚みを有していることを特徴とする請求項１７に記載の素子。
【請求項１９】
前記熱電膜が、約４０μｍ以下の厚みを有していることを特徴とする請求項１８に記載の素子。
【請求項２０】
前記熱電膜が、約１クラック／ｍｍ未満のクラック密度を有していることを特徴とする請求項１７に記載の素子。
【請求項２１】
結晶方位を有する第２の熱電膜を備える第２の熱電要素であって、前記結晶方位が、前記第２の熱電膜の表面に対して約５°から約３０°の範囲内の角度で傾斜し、前記第１の熱電要素および前記第２の熱電要素が、異なる導電形式を有している、第２の熱電要素と、
第１のヘッダーおよび第２のヘッダーと、
をさらに備え、
前記第１の熱電要素および前記第２の熱電要素が、電気的に直列結合され、前記第１のヘッダーと前記第２のヘッダーとの間に熱的に平行に結合されていることを特徴とする請求項１７に記載の素子。
【請求項２２】
約１００μｍ未満の厚みおよび約１クラック／ｍｍ未満のクラック密度を有する熱電材料層を備え、前記熱電材料層の結晶方位が、前記熱電材料層の表面に対して約５°から約３０°の範囲内の角度で傾斜しており、前記熱電材料層が、約５μｍから約１００μｍの範囲内の厚みを有し、ビスマス（Ｂｉ）、アンチモン（Ｓｂ）、鉛（Ｐｂ）、テルル（Ｔｅ）、および／またはセレン（Ｓｅ）を含む化合物を含んでいることを特徴とする熱電膜。
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
リチオ化及び脱リチオ化を受けることが可能な粉末材料と、
前記粉末材料は、スズ、スズ合金、炭素及びこれらの組み合わせから選択される、
リチウムポリアクリレートを含む非弾性結合剤と、
を含んでなる、負極用電極組成物。
【請求項２】
リチオ化及び脱リチオ化を受けることが可能な粉末材料と、
前記粉末材料は、スズ、スズ合金、シリコン、シリコン合金、炭素及びこれらの組み
合わせから選択される、
リチウムポリスチレンスルホネート、リチウムポリスルホネートフルオロポリマー、マレイン酸又はスルホン酸を含むコポリマーのリチウム塩、ポリアクリロニトリルポリマー、硬化フェノール樹脂、硬化グルコース及びこれらの組み合わせから選択される結合剤と、を含んでなる、電極組成物。
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
アセンブリであって、
タッチスクリーンセンサ上の信号リード線と電気接触している１つ以上のテール接触パッドを含む、可撓性電気テールと、
圧力を印加して、該テール接触パッドと該センサ信号リード線との間の該電気接触の維持を助長するように、該電気テール及び該タッチスクリーンセンサ上に取り付けられる機械クリップと、を含み、
該機械クリップは、
該電気テールに係合する１つ以上の圧力タブと、
該１つ以上の圧力タブと対向し、該テール接続と反対の該センサ側に係合する１つ以上の保持タブと、
該テール及び該センサ上に取り付けられた際に、該クリップの少なくともいくらかのたわみを生じるのに十分な距離で、該１つ以上の圧力タブを該１つ以上の保持タブから分離する垂直支持部分と、
該テールが該１つ以上の保持タブと係合することなく該クリップを通り抜けられるようにする開口部と、を含む、アセンブリ。
【請求項２】
タッチスクリーンセンサ上の信号リード線と電気接触している１つ以上のテール接触パッドを含む可撓性電気テールを有する、タッチスクリーンセンサアセンブリで使用する方法であって、
該電気テールに係合するように適合された１つ以上の圧力タブと、該１つ以上の圧力タブと対向し、該テール接続と反対の該センサ側に係合するように適合された１つ以上の保持タブと、該テール及び該センサ上に取り付けられる際に、該クリップの少なくともいくらかのたわみを生じるのに十分な距離で、該１つ以上の圧力タブを該１つ以上の保持タブから分離する垂直支持部分と、該テールが該１つ以上の保持タブと係合することなく該クリップを通り抜けられるように構成された開口部と、を含む機械クリップを提供する工程と、
該機械クリップを該電気テール及び該タッチスクリーンセンサ上に取り付ける工程と、を含む、方法。
【手続補正書】
【提出日】平成23年2月3日(2011.2.3)
【手続補正１】
【補正対象書類名】特許請求の範囲
【補正対象項目名】請求項１８
【補正方法】変更
【補正の内容】
【請求項１８】
前記クロック発生器は、
前記感知されたクロック信号に応答して、第１のクロック信号と当該第１のクロック信号に対して１８０度シフトされた第２のクロック信号を提供するクロックシンセサイザと、
前記モード選択信号が第１の論理状態にあるとき、前記相補的な内部クロック信号として、第１のクロック信号と第２のクロック信号を通過させ、前記モード選択信号が第２の論理状態にあるとき、前記相補的な内部クロック信号として、前記遅延された並列の相補的なクロック信号を通過させる、スイッチ回路と、
を含む、請求項１６に記載のメモリ装置。
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
ビット線とソース線の間に直列に接続されたソース線選択デバイス、メモリセル、およびストリング選択デバイスを有するNANDフラッシュストリングをプログラムする方法であって、
前記ビット線を第1の電源電圧レベルと第2の電源電圧レベルのうちの1つにバイアスするステップと、
非選択メモリセルに記憶されたバックグラウンドデータとは無関係に選択メモリセルチャネルをプログラム禁止状態に設定するために、前記メモリセルに対応するチャネルのグルーピングを、ソース線とは異なる電圧レベルに非対称的にプリチャージするステップと、
前記選択メモリセルを、前記ビット線が前記第2の電源電圧レベルにバイアスされるときにのみプログラムするステップであって、前記選択メモリセルは、前記ビット線が前記第1の電源電圧レベルにバイアスされるときはプログラム禁止状態のままとなる、ステップと
を含む方法。
【請求項２】
前記選択メモリセルをプログラムするステップは、前記ビット線が前記第2の電源電圧レベルにバイアスされるときにのみ、前記ビット線を前記選択メモリセルに結合するように、前記ストリング選択デバイスを前記第1の電源電圧レベルに駆動するステップを含む、請求項1に記載の方法。
【請求項３】
非対称にプリチャージするステップは、前記ソース線をストリングプリチャージ電圧にバイアスするステップを含む、請求項1に記載の方法。
【請求項４】
非対称にプリチャージするステップは、前記ソース線選択デバイスをソース線パス電圧に駆動することによって前記ソース線を前記メモリセルに結合するステップを含む、請求項1に記載の方法。
【請求項５】
非対称にプリチャージするステップは、
前記ソース線選択デバイスと、前記選択メモリセルに隣接する第1のメモリセルの間のメモリセルに対応する下側チャネルを第1のプリチャージ電圧にプリチャージするステップであって、前記下側チャネルは、前記選択メモリセルおよび前記選択メモリセルに隣接する第2のメモリセルを含む、ステップと、
前記第1のメモリセルに対応する中間チャネルを、第2のプリチャージ電圧にプリチャージするステップと、
前記第1のメモリセルと前記ストリング選択デバイスの間のメモリセルに対応する上側チャネルを、第3のプリチャージ電圧にプリチャージするステップと
を含む、請求項4に記載の方法。
【請求項６】
前記下側チャネルをプリチャージするステップは、前記ソース線選択デバイスと前記第1のメモリセルの間のメモリセルのゲート端子を、第1のパス電圧に駆動するステップを含む、請求項5に記載の方法。
【請求項７】
前記中間チャネルをプリチャージするステップは、前記第1のメモリセルのゲート端子を第2のパス電圧に駆動するステップを含み、前記第2のパス電圧は少なくとも0Vである、請求項6に記載の方法。
【請求項８】
前記第2のパス電圧は、プログラムされたメモリセル閾値電圧より大きく、前記パス電圧より小さい、請求項7に記載の方法。
【請求項９】
前記上側チャネルをプリチャージするステップは、前記第1のメモリセルと前記ストリング選択デバイスの間のメモリセルのゲート端子を、前記第1のパス電圧に駆動するステップを含む、請求項8に記載の方法。
【請求項１０】
前記上側チャネルは、前記第3のプリチャージ電圧を生ずるように、前記第1のパス電圧と前記第2のパス電圧の差だけブーストされる、請求項9に記載の方法。
【請求項１１】
前記第2のパス電圧は、前記上側チャネルが前記第3のプリチャージ電圧にあるときに、前記第1のメモリセルをターンオフするような値に選択される、請求項10に記載の方法。
【請求項１２】
前記下側チャネルをプリチャージするステップは、
前記第2のメモリセルをターンオフするステップと、
前記ソース線選択デバイスをターンオフするステップと
をさらに含む、請求項11に記載の方法。
【請求項１３】
前記下側チャネルをプリチャージするステップは、前記選択メモリセルのゲートをプログラム電圧に駆動することによって、プログラミングを禁止するのに有効な電圧に前記選択メモリセルチャネルを局部的にブーストするステップをさらに含む、請求項12に記載の方法。
【請求項１４】
前記プログラム電圧は、前記第1のパス電圧、前記ストリングプリチャージ電圧、および前記ソース線パス電圧より大きく、前記ストリングプリチャージ電圧は、少なくとも前記ソース線パス電圧である、請求項13に記載の方法。
【請求項１５】
前記ストリングプリチャージ電圧および前記ソース線パス電圧は、前記第1のパス電圧である、請求項4に記載の方法。
【請求項１６】
前記選択メモリセルと前記ソース線選択デバイスの間の少なくとも1つのメモリセルは、プログラムされたページに対応し、前記少なくとも1つメモリセルは、プログラム後の閾値電圧と消去後の閾値電圧のうちの1つを有する、請求項1に記載の方法。
【請求項１７】
前記第1のメモリセルは、プログラム後の閾値電圧と消去後の閾値電圧のうちの1つを有するプログラムされたページに対応する、請求項5に記載の方法。
【請求項１８】
前記選択メモリセルと前記ソース線選択デバイスの間の前記メモリセルは、消去後の閾値電圧を有する消去されたページに対応する、請求項1に記載の方法。
【請求項１９】
前記選択メモリセルと前記ストリング選択デバイスの間の前記メモリセルは、消去後の閾値電圧を有する消去されたページに対応する、請求項1に記載の方法。
【請求項２０】
ビット線とソース線の間に直列に接続されたソース線選択デバイス、メモリセル、およびストリング選択デバイスを有するNANDフラッシュストリングをプログラムする方法であって、
前記ビット線を、第1の電源電圧レベルと第2の電源電圧レベルのうちの1つにバイアスするステップと、
前記メモリセルに対応するチャネルのグルーピングを、選択メモリセルに隣接する第1のメモリセルをターンオフするように前記ソース線とは異なる電圧レベルにプリチャージするステップと、
印加されたプログラム電圧に応答して、前記選択メモリセルチャネルをプログラム禁止状態にプリチャージするステップと、
前記ビット線が前記第2の電源電圧レベルにバイアスされたときのみに前記ビット線を前記選択メモリセルに結合するように、前記ストリング選択デバイスを前記第1の電源電圧レベルに駆動するステップであって、前記ビット線が前記第1の電源電圧レベルにバイアスされたときは、前記選択メモリセルはプログラム禁止状態のままとなる、ステップと
を含む方法。
【誤訳訂正書】
【提出日】平成22年12月15日(2010.12.15)
【誤訳訂正１】
【訂正対象書類名】図面
【訂正対象項目名】図２Ａ
【訂正方法】変更
【訂正の内容】
【図２Ａ】
2010518531.tif 000001
【誤訳訂正２】
【訂正対象書類名】図面
【訂正対象項目名】図２Ｂ
【訂正方法】変更
【訂正の内容】
【図２Ｂ】
2010518531.tif 000002
【誤訳訂正３】
【訂正対象書類名】図面
【訂正対象項目名】図２Ｃ
【訂正方法】変更
【訂正の内容】
【図２Ｃ】
2010518531.tif 000003
【誤訳訂正４】
【訂正対象書類名】図面
【訂正対象項目名】図３
【訂正方法】変更
【訂正の内容】
【図３】
2010518531.tif 000004
【誤訳訂正５】
【訂正対象書類名】図面
【訂正対象項目名】図４
【訂正方法】変更
【訂正の内容】
【図４】
2010518531.tif 000005
【誤訳訂正６】
【訂正対象書類名】図面
【訂正対象項目名】図５
【訂正方法】変更
【訂正の内容】
【図５】
2010518531.tif 000006
【誤訳訂正７】
【訂正対象書類名】図面
【訂正対象項目名】図６
【訂正方法】変更
【訂正の内容】
【図６】
2010518531.tif 000007
【誤訳訂正８】
【訂正対象書類名】図面
【訂正対象項目名】図７
【訂正方法】変更
【訂正の内容】
【図７】
2010518531.tif 000008
【誤訳訂正９】
【訂正対象書類名】特許請求の範囲
【訂正対象項目名】請求項１２
【訂正方法】変更
【訂正の内容】
【請求項１２】
入力ドキュメントをドキュメント保管庫からの一組のドキュメントに対して照合する自動化された方法であって、
前記一組のドキュメントのそれぞれについて、ドキュメント識別子、及び第１の署名発生器によって生成された署名を含む署名データベースを記憶するステップと、
入力ドキュメントを受け取るステップと、
第２の署名発生器を使用して、前記入力ドキュメントについて署名を生成するステップと、
前記入力ドキュメントについて生成された署名を使用して、前記署名データベースを検索するステップと
を含み、
前記第１の署名発生器、及び前記第２の署名発生器は、同一ドキュメントに対して異なる数の署名を生成するように構成される、方法。
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
約０．１％〜約０．７％のＥＰＡ；
約５０ｐｐｍ〜約２００ｐｐｍのマンガン；及び
約０．５％〜約１．６％のメチオニンを含んでなるペット食品組成物。
【請求項２】
約０．１％〜約０．７％のＤＨＡを含んでなる、請求項１の組成物。
【請求項３】
約２００〜約１２００ＩＵ／ｋｇのビタミンＥを含んでなる、請求項１又は２の組成物。
【請求項４】
約５０〜約５００ｐｐｍのビタミンＣを含んでなる、請求項１〜３のいずれか１項の組成物。
【請求項５】
約１００ｐｐｍ〜約５００ｐｐｍのカルニチンを含んでなる、請求項１〜４のいずれか１項の組成物。
【請求項６】
約２．５ｇ／１０００ｋｃａｌ〜約７ｇ／１０００ｋｃａｌのリジンを含んでなる、請求項１〜５のいずれか１項の組成物。
【請求項７】
約２４００ｐｐｍ〜約７５００ｐｐｍのコリンを含んでなる、請求項１〜６のいずれか１項の組成物。
【請求項８】
約０．１％〜約０．６％のＥＰＡを含んでなる、請求項１〜７のいずれか１項の組成物。
【請求項９】
約５０ｐｐｍ〜約１５０ｐｐｍのマンガンを含んでなる、請求項１〜８のいずれか１項の組成物。
【請求項１０】
約０．８％〜約１．６％のメチオニンを含んでなる、請求項１〜９のいずれか１項の組成物。
【請求項１１】
請求項１〜１０のいずれか１項のペット食品組成物をネコ科動物へ、または該ネコ科動物が子宮内にいる間に該ネコ科動物の母猫へ投与することを含んでなる、該ネコ科動物において骨形成を促進するための方法。
【請求項１２】
ネコ科動物が仔猫である、請求項１１の方法。
【請求項１３】
ネコ科動物が、請求項１〜１０のいずれか１項の組成物を給餌した母猫（a queen）より産まれたものである、請求項１１又は１２の方法。
【請求項１４】
ネコ科動物が子宮内にいる、請求項１３の方法。
【請求項１５】
請求項１〜１０のいずれか１項に記載の組成物を妊娠前に母猫へ給餌する、請求項１３〜１４のいずれか１項の方法。
【請求項１６】
請求項１〜１０のいずれか１項に記載の組成物を妊娠期間の大部分の間母猫へ給餌する、請求項１３〜１５のいずれか１項の方法。
【請求項１７】
本質的に請求項１〜１０のいずれか１項に記載の組成物のいずれか１つからなる組成物を妊娠の前とその間に母猫へ給餌する、請求項１３〜１６に記載の方法。
【請求項１８】
請求項１〜１０のいずれか１項に記載の組成物を離乳前に仔猫へ給餌する、請求項１１〜１７のいずれか１項の方法。
【請求項１９】
請求項１〜１０のいずれか１項に記載の組成物を離乳後に仔猫へ給餌する、請求項１１〜１８のいずれか１項の方法。
【請求項２０】
請求項１〜１０のいずれか１項の組成物を哺乳動物へ投与することを含んでなる、骨アルカリホスファターゼを阻害することによって骨形成を促進する方法。
【手続補正２】
【補正対象書類名】明細書
【補正対象項目名】０００１
【補正方法】変更
【補正の内容】
【０００１】
関連出願への相互参照
[0001]  本出願は、その内容が参照により本明細書に組み込まれる、米国仮特許出願番号６０／８９１，１７１（２００７年２月２２日出願）、及びＰＣＴ／ＵＳ２００８／０５４７９６（２００８年２月２２日出願）に対する優先権を主張する。
【手続補正３】
【補正対象書類名】明細書
【補正対象項目名】００４２
【補正方法】変更
【補正の内容】
【００４２】
【表１】
2010518867.tif 000001
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
Ｔｉｅ２構成要素及びＶＥＧＦＲ構成要素を有するポリペプチドをコードする単離核酸分子であって、ＶＥＧＦポリペプチド及びアンジオポエチンポリペプチドと同時に結合することが可能であるポリペプチドをコードするものであり、前記構成要素が、多量体形成構成要素をコードするヌクレオチド配列と作動可能に連結する、核酸分子。
【請求項２】
前記ＶＥＧＦＲがＶＥＧＦＲ１又はＶＥＧＦＲ３である、請求項１に記載の核酸分子。
【請求項３】
前記Ｔｉｅ２構成要素が、Ｉｇ様ドメイン１、Ｉｇ様ドメイン２及びＴｉｅ２の細胞外ドメインの３つのＥＧＦ様ドメインのアミノ酸配列をコードするヌクレオチド配列から成る、請求項１に記載の核酸分子。
【請求項４】
前記ＶＥＧＦＲ１構成要素が、ＶＥＧＦＲ１の細胞外ドメインのＩｇ様ドメイン２のアミノ酸配列をコードするヌクレオチド配列から成り、前記ＶＥＧＦＲ３構成要素が、ＶＥＧＦＲ３の細胞外ドメインのＩｇ様ドメイン１、Ｉｇ様ドメイン２及びＩｇ様ドメイン３のアミノ酸配列から成る、請求項２に記載の核酸分子。
【請求項５】
前記Ｔｉｅ２構成要素をコードする前記ヌクレオチド配列が、前記ＶＥＧＦＲ構成要素をコードする前記ヌクレオチド配列の上流に位置する、請求項１に記載の核酸分子。
【請求項６】
前記Ｔｉｅ２構成要素をコードする前記ヌクレオチド配列が、前記ＶＥＧＦＲ構成要素をコードする前記ヌクレオチド配列の下流に位置する、請求項１に記載の単離核酸分子。
【請求項７】
前記多量体形成構成要素が免疫グロブリンドメインである、請求項１に記載の核酸分子。
【請求項８】
前記免疫グロブリンドメインが、ＩｇＧのＦｃドメイン、ＩｇＧの重鎖、及びＩｇＧの軽鎖から成る群から選択される、請求項７に記載の核酸分子。
【請求項９】
ＤＡＡＰ＃１と称される表１に記載のヌクレオチド配列をコードするヌクレオチド配列を含む、請求項１に記載の核酸分子。
【請求項１０】
請求項１に記載の核酸分子を含む発現ベクターであって、該核酸分子が、発現制御配列と作動可能に連結する、発現ベクター。
【請求項１１】
好適な宿主細胞において、請求項１０に記載の発現ベクターを含む融合ポリペプチドの産生のための宿主ベクター系。
【請求項１２】
前記好適な宿主細胞が、細菌細胞、酵母細胞、昆虫細胞又は哺乳動物細胞である、請求項１１に記載の宿主ベクター系。
【請求項１３】
請求項１に記載の単離核酸分子によってコードされる融合ポリペプチド。
【請求項１４】
融合ポリペプチドを産生する方法であって、該融合ポリペプチドの産生を可能にし、このようにして産生した該融合ポリペプチドを回収する条件下で、請求項１１に記載の宿主ベクター系の細胞を成長させることを含む、融合ポリペプチドを産生する方法。
【請求項１５】
請求項１に記載の核酸配列によってコードされる融合ポリペプチドであって、アセチル化又はペグ化によって修飾されている、融合ポリペプチド。
【請求項１６】
請求項１３に記載の融合ポリペプチドを有効成分として含む、哺乳動物における血漿漏出を低減又は阻害するための薬剤。
【請求項１７】
前記哺乳動物がヒトである、請求項１６に記載の薬剤。
【請求項１８】
請求項１３に記載の融合ポリペプチドを有効成分として含む、哺乳動物における血管成長を遮断するための薬剤。
【請求項１９】
請求項１３に記載の融合ポリペプチドを有効成分として含む、哺乳動物におけるＶＥＧＦ受容体リガンド及びＴｉｅ２リガンドの活性を阻害するための薬剤。
【請求項２０】
請求項１３に記載の融合ポリペプチドを有効成分として含む、哺乳動物における腫瘍成長を軽減又は予防するための薬剤。
【請求項２１】
請求項１３に記載の融合ポリペプチドを有効成分として含む、ヒトにおける浮腫を軽減又は予防するための薬剤。
【請求項２２】
前記浮腫が脳浮腫である、請求項２１に記載の薬剤。
【請求項２３】
請求項１３に記載の融合ポリペプチドを有効成分として含む、ヒトにおける腹水形成を軽減又は予防するための薬剤。
【請求項２４】
前記腹水が卵巣癌に関連する、請求項２３に記載の薬剤。
【請求項２５】
前記ポリペプチドが抗体ではないことを条件とする、請求項１に記載の核酸分子。
【請求項２６】
請求項１３に記載の融合ポリペプチドを有効成分として含む、被験体における炎症性血管新生によって引き起こされる症状を治療するための薬剤。
【請求項２７】
前記症状が関節リウマチである、請求項２６に記載の薬剤。